(57)【要約】  【課題】増減連に際して大掛かりな解体作業等を伴うことなく、中間脚と端部脚の入れ替え等も不要で、脚の数や種類も極力合理的に構成できるようにしたデスクシステムを提供する。  【解決手段】天板１を連ねて大型デスクを構成するに際して、隣接する天板１、１を接地巾の狭い共通の中間脚２の片半部２ａづつに支持させるとともに、端部に位置することとなる中間脚２に対し、その開放された片半部２ａに被るように端部部材３を着脱可能に付加することによって端部脚４を構成し得るようにした  【選択図】図３
2008295853.tif 000002
【特許請求の範囲】
【請求項１】
天板を連ねて大型デスクを構成するに際して、隣接する天板を共通の中間脚の片半部づつに支持させるとともに、端部に位置することとなる中間脚に対し、その開放された片半部に被るように端部部材を着脱可能に付加することによって端部脚を構成し得るようにしたことを特徴とするデスクシステム。
【請求項２】
天板の増連に際して、既設デスクを構成する天板や中間脚その他の構造体部分の解体を伴うことなく端部脚から端部部材を取り除くとともに、当該端部部材を取り付けていた中間脚において開放される片半部に増連すべき天板を支持させ、新たに端部に位置することとなる中間脚に先に取り除いた前記端部部材を付加することによって端部脚を構成し得るようにしている請求項１記載のデスクシステム。
【請求項３】
天板の減連に際して、減連によって残されるデスク部分の天板や中間脚その他の構造体部分の解体を伴うことなく、所要の中間脚及び端部脚を天板とともに撤去し、新たに端部に位置することとなる中間脚において開放される片半部に先に撤去した前記端部脚に付帯していた端部部材を付加することによって端部脚を構成し得るようにしている請求項１記載のデスクシステム。
【請求項４】
デスク同士の連結に際して、連結すべき各デスクにおいて既設部分の天板や中間脚その他の構造体部分の解体を伴うことなく端部脚から端部部材を取り除き、各々のデスクの端部に位置することとなる中間脚において開放される片半部に新たに天板を架設することによってデスク同士の連結をなし得るようにしている請求項１記載のデスクシステム。
【請求項５】
デスクの分離に際して、分離によって残されるべきデスク部分の天板や中間脚その他の構造体部分の解体を伴うことなく、天板その他の所要部材を取り除き、分離した各々のデスクにおいて新たに端部に位置することとなる中間脚において開放される片半部に端部部材を付加することによって端部脚を構成し得るようにしている請求項１記載のデスクシステム。
【請求項６】
端部部材が、左右の側枠と上枠とを少なくとも備えたフレーム構造をなすものであり、その上枠若しくはその周辺部を中間脚の片半部に被せ、側枠を中間脚の脚支柱の外側に位置づけるようにして中間脚に取り付けられるものである請求項１〜５記載のデスクシステム。
【請求項７】
端部部材が、左右の側枠と上枠とを少なくとも備えたフレーム構造の外側に面材を取り付け内側を凹ませたパネル脚状のものであり、その凹みに中間脚の一部を受容しつつ上枠若しくはその周辺部を中間脚の片半部に被せ、側枠を中間脚の脚支柱の外側に位置づけるようにして中間脚に取り付けられるものである請求項１〜５記載のデスクシステム。
【請求項８】
中間脚が、脚支柱と、この脚支柱の上端側に略水平に延びて天板を支持するステーとを備え、ステー間にビームを架設して中間脚同士を着脱可能に連結するようにしている請求項１〜７記載のデスクシステム。
【請求項９】
天板を連ねた大型のデスクを構成し得るようにしたものであって、隣接する天板を中間脚としての共通脚に支持させるとともに、当該共通脚を変形させて端部脚としても使用し得るようにしたことを特徴とするデスクシステム。
【発明の詳細な説明】
【技術分野】
【０００１】
本発明は、大型天板を効率良く構成して、その増減、減連、連結、分離などにも容易に対応できるようにしたデスクシステムに関するものである。
【背景技術】
【０００２】
近時のデスクシステムにおいては、天板を連ねて大型デスクを構成する場合、端部には天板の奥行き寸法にほぼ対応する接地巾を有する端部脚を用い、中間部には天板の奥行き寸法よりも巾狭な接地巾を有する中間脚を用いるのが通例であり、その中間脚には隣接する一対の天板を同時に支持させることにより脚が嵩張ることを回避して、端部における支持状態の安定化と中間部における下肢空間の確保とを両立させ、脚数をも最小限に抑えるようにしている。
【０００３】
ところで、このような大型デスクの増減連時には、一旦デスクを解体して作業が行われるのが通例であり、その際端部脚であった部分を中間脚に取り替え、新たに外方端に位置する部位に端部脚を取り付けるようにしている。このため、レイアウト変更などに多大な労力と時間を要するという問題がある。
【０００４】
これに対して、端部脚の外側にそのまま端部脚や天板を増連するようにしたものが考えられている。例えば、特許文献１に示されるものは、強度メンバとして使用するバックフレームに端部脚や袖を接続し、これら端部脚間、袖間あるいは端部脚と袖との間を天板で接続するように構成して、バックフレームの寸法内で脚や袖を位置変更可能にしており、天板や脚の追加に対しては、明示的な記載はないものの、バックフレームを延長し、それに脚や天板を追加することによって対応可能であると見受けられる。
【０００５】
また、特許文献２のものは、デスク同士を連結するにあたり、端部に位置する端部脚同士を貼り合わせて連結することで増連を行い、端部脚同士を離反させることによって減連を得るようにしている。
【特許文献１】特開２００４−３３７４５２号公報
【特許文献２】特許第２９９０５７６号公報
【発明の開示】
【発明が解決しようとする課題】
【０００６】
しかしながら、特許文献１の端部脚は、全て接地巾の広いコの字形のものであるため、特にフリーアドレス制を採用する場合などには、横この端部脚が中間部に位置した際に巾方向に沿った自在な位置へのワゴンの挿入や足元空間の確保が妨げられ易いという問題がある。同特許文献のものは脚の位置が変更可能であるとはいえ、やはり天板を適切に支持できる範囲に限界があるため、下肢空間の連続性が十分に確保されているとは言い難い。さらに、連結デスクを減連したい場合にも、所定の位置で明確に天板及びバックフレームが分断できる構造ではないため、このものは増減連に有効に対応できるものとは言い難い。
【０００７】
一方、特許文献２のものは、脚同士が中間部においても端部においても重合する構成であるため、部品点数が多くコスト増の要因となる上に、脚が嵩張る分だけ下肢空間も狭められるものとなる。また、単に天板を増連したいときにも独立したデスク同士の連結となり、単に天板を減連したいときにも独立したデスクに分離されるため、連結デスクという観点からすれば部品点数等を考慮した合理的な増減連が行われているとは言い難い。
【０００８】
本発明は、これらの課題に着目してなされたものであって、レイアウト変更等に伴う端部脚と中間脚の入れ替えの煩雑さを解消するとともに、下肢空間も容易に確保できるようにしたデスクシステムを提供することを目的としている。
【課題を解決するための手段】
【０００９】
本発明は、かかる目的を達成するために、次のような手段を講じたものである。
【００１０】
すなわち、本発明のデスクシステムは、天板を連ねて大型デスクを構成するに際して、隣接する天板を共通の中間脚の片半部づつに支持させるとともに、端部に位置することとなる中間脚に対し、その開放された片半部に被るように端部部材を着脱可能に付加することによって端部脚を構成し得るようにしたことを特徴とする。
このように構成すれば、増減連によって端部にあった脚が中間に位置したり、逆に中間に位置していた脚が端部に位置することとなっても、中間脚に対して端部部材を着脱するだけで端部脚及び中間脚の何れの形態をもとらせることができるので、逐一中間脚と端部脚の取替えをすること不要にすることができる。また、中間脚は隣接する天板を同時に支持し得るので、脚が重複して嵩張ることもなく、巾方向に沿って下肢空間を広くとることができる。さらに、端部においては中間脚と端部部材が重複することとなるが、端部部材は中間脚の一部に被るように取り付けられるので、各々の巾寸法の総和よりも嵩張りを極力抑えつつ、接地巾の広い端部脚の機能を有効に発揮させることができる。そして、上記において、端部部材を取り付けることで接地巾の狭い中間脚の当該接地巾を拡幅させて端部脚となし得るように構成すれば、中間部における奥行き方向への下肢空間の確保と端部における接地状態の安定化とを適切に両立させることが可能となる。
【００１１】
天板の増連を適切に行なうためには、既設デスクを構成する天板や中間脚その他の構造体部分の解体を伴うことなく端部脚から端部部材を取り除くとともに、当該端部部材を取り付けていた中間脚において開放される片半部に増連すべき天板を支持させ、新たに端部に位置することとなる中間脚に先に取り除いた前記端部部材を付加することによって端部脚を構成し得るようにしておくことが望ましい。
【００１２】
天板の減連を適切に行うためには、減連によって残されるデスク部分の天板や中間脚その他の構造体部分の解体を伴うことなく、所要の中間脚及び端部脚を天板とともに撤去し、新たに端部に位置することとなる中間脚において開放される片半部に先に撤去した前記端部脚に付帯していた端部部材を付加することによって端部脚を構成し得るようにしておくことが望ましい。
【００１３】
デスク同士の連結を適切に行うためには、連結すべき各デスクにおいて既設部分の天板や中間脚その他の構造体部分の解体を伴うことなく端部脚から端部部材を取り除き、各々のデスクの端部に位置することとなる中間脚において開放される片半部に新たに天板を架設することによってデスク同士の連結をなし得るようにしておくことが望ましい。
【００１４】
デスクの分離を適切に行うためには、分離によって残されるべきデスク部分の天板や中間脚その他の構造体部分の解体を伴うことなく、天板その他の所要部材を取り除き、分離した各々のデスクにおいて新たに端部に位置することとなる中間脚において開放される片半部に端部部材を付加することによって端部脚を構成し得るようにしておくことが望ましい。
【００１５】
端部部材の好ましい実施の態様としては、左右の側枠と上枠とを少なくとも備えたフレーム構造をなし、その上枠若しくはその周辺部を中間脚の片半部に被せ、側枠を中間脚の脚支柱の外側に位置づけるようにして中間脚に取り付けられるようにしているものが挙げられる。
【００１６】
或いは、端部部材の好ましい他の実施の態様としては、左右の側枠と上枠とを少なくとも備えたフレーム構造の外側に面材を取り付け内側を凹ませたパネル脚状のものであり、その凹みに中間脚の一部を受容しつつ上枠若しくはその周辺部を中間脚の片半部に被せ、側枠を中間脚の脚支柱の外側に位置づけるようにして中間脚に取り付けられるようにしているものが挙げられる。
【００１７】
増減連やデスクの連結、分離に簡単に対応可能な構造体の構成としては、中間脚が、脚支柱と、この脚支柱の上端側に略水平に延びて天板を支持するステーとを備え、ステー間にビームを架設して中間脚同士を着脱可能に連結するようにしているものが挙げられる。この場合、下肢空間の確保のためには、脚支柱が天板の反使用縁側に接地することが望ましい。
【００１８】
また、同様の目的を達成するための本発明の他の構成に係るデスクシステムは、天板を連ねた大型のデスクを構成し得るようにしたものであって、隣接する天板を中間脚としての共通脚に支持させるとともに、当該共通脚を変形させて端部脚としても使用し得るようにしたことを特徴とする。
【００１９】
このように構成すると、増減連によって端部にあった脚が中間に位置したり、逆に中間に位置していた脚が端部に位置することとなっても、共通脚の形態を変更するだけで端部脚及び中間脚の何れの形態をもとることができるので、逐一中間脚と端部脚の取替えをすること不要にすることができる。また、共通脚は隣接する天板を同時に支持し得るので、脚が重複して嵩張る不都合も回避して、下肢空間を極力広くとることができる。さらに、端部においても共通脚は重複することがないため、ここでの嵩張りも有効に回避することが可能となる。そして、この場合もその変形が、連結方向と直交する方向に沿って接地巾の狭い中間脚と接地巾の広い端部脚とに形態を変更するものであれば、中間部における下肢空間の確保と端部における接地状態の安定化とを適切に両立させることが可能となる。
【発明の効果】
【００２０】
本発明は、以上のような構成であるから、増減連に際して大掛かりな解体作業等を伴うことがなく、中間脚を適宜端部脚として使用することにより脚の数や種類も極力合理的に構成することができる。そして、端部脚の加除によって接地巾が変化するようにした場合に、中間脚が存するか否かに拘わらず下肢空間を略一定に保って天板下にワゴンや脚を挿入する位置を限定されなくするという利点と、中間脚が端部に位置した際の適切な接地状態とを好適に両立させることが可能になる。
【発明を実施するための最良の形態】
【００２１】
以下、本発明の一実施形態を、図面を参照して説明する。
【００２２】
この実施形態のデスクシステムは、図１に示すように、天板１を適宜枚数連ねて所要規模の大型デスクを随意に構成できるようにしたもので、天板１を支持する全ての脚にいわゆる接地巾の狭い中間脚２を用いる点を要旨としている。すなわち、図２及び図３に示すように、隣接する天板１、１を単一の中間脚２の片半部２ａ、２ａづつで支持するとともに、この大型デスクの端部を支持する中間脚２においては、片半部２ａに天板１を支持し、更に残りの片半部２ａに被るように端部部材３を着脱可能に付加して、これら中間脚２と端部部材３とによって接地巾の広い端部脚４を構成するようにしている。
【００２３】
具体的に説明すると、中間脚２は、２本の脚支柱２１、２１の上端部に水平に延びるステー２２を剛接したもので、脚支柱２１はこのステー２２の長手方向中央部付近を支持する位置関係にあり、下端にアジャスタ２１ａを備えている。天板１は、このステー２２の長手方向をほぼ二分する位置に図１に示すように若干の隙間をあけて対面使用可能な状態で支持される。そして、巾方向に対しては、図３に示したように、隣接する天板１の側縁１ａをそのステー２２の片半部２ａ、２ａづつに支持し、ステー２２に設けたねじ通過孔２２ａ（図２参照）を利用し下方からねじを用いて天板１を固定するようにしている。このステー２２の左右の側面には、長手方向間欠位置にダイキャスト等により作られた剛性のあるブロック体状のビーム取付部２２ｂが強固に取り付けられており、中間脚２と中間脚２の間は、天板１を載せ置く前に対応するビーム取付部２２ｂにビーム５を嵌合させ、図示しない位置でビーム５をビーム取付部２２ｂにねじ止めすることによって着脱可能に連結される。したがって、解体時には天板１をステー２に止着していたねじを外することにより取り除き、ビーム５をビーム取付部２２ｂに取り付けていたねじを外すことによりビーム取付部２２ｂから解離させれば、中間脚２、２同士の連結は解除される。
【００２４】
一方、端部部材３は、図４に示すように、左右の側枠３１、上枠３２及び下枠３３を備えたフレーム構造をなすもので、上枠３２の前面にはスペーサ３４が取り付けられており、側枠３１には下端にアジャスタ３１ａが取り付けられている。そして、側枠３１の外面を化粧する位置に縦カバー３５を、また上枠３２とスペーサ３４の上面を同時に化粧する位置に横カバー３６をそれぞれ取り付け、さらにこれらの枠３１、３２、３３によって囲まれる空間を外側から閉止する位置に面材３７を取り付けて、全体として図５に示すような内側に凹所３ａを有するパネル脚状のものに仕上げている。上枠３２と下枠３３の間には側枠３１、３１間に補強桟３８が架設されているが、強度的に充足する場合には必ずしも設ける必要はない。
【００２５】
この端部部材３を中間脚２に取り付ける際には、図５に示すように、凹所３ａへの呑み込み量を減らすためにステー２２の一側面側に付帯していたビーム取付部２２ｂを取り外す。このとき、そのビーム取付部２２ｂにはビーム５が取り付けられておらず、また、反対側に付帯するビーム取付部２２ｂは天板１ともども取り外す必要がないため、端部部材３を着脱するにあたり既設デスクの構造体部分を分解する必要はない。そして、図２、図３及び図６に示すように、端部部材３の凹所３ａ内に中間脚２のステー２２の連結方向に沿った片半部２ａを脚支柱２１の片半部２ｂ(図６参照)とともに受容し、このとき上枠３２と一体的に設けられたスペーサ３４及び横カバー３６を中間脚２のステー２２の片半部２ａ上に被せつつ、側枠３１の下端部を中間脚２の脚支柱２１の外側に接地させて、中間脚２と一体となって端部脚４を構成するようにしている。このとき、スペーサ３４の厚みは天板１の厚みに略対応しており、このスペーサ３４によって天板１の小口１ａが隠蔽される。
【００２６】
このとき、ステー２２のうち、天板１を取り付けていない片半部２ａに開口しているねじ通過孔２２ａは開放されているため、図５に矢印で示すようにこのねじ通過孔２２ａにねじを差し込んでスペーサ３４等に止着することによって、端部部材３は中間脚２に固定される。したがって、このねじを外せば、端部脚３は中間脚２から取り外すことができる。
【００２７】
なお、図５等に示すように、中間脚２のステー２２上に天板１を載せ置いた際、中間脚２の脚支柱２１の接地部は天板１の反使用縁１ｃ近傍に接地し、またステー２２は比較的薄肉に構成されて当該ステー２２の下面から床までの距離が十分に確保してある。このため、その脚支柱１１とステー１２との入隅部分の前方を含めて、天板３の下方に図１に示すような横方向に連続する下肢空間Ｓを確保し、この下肢空間Ｓの適宜位置にワゴンＷを挿入できるようになっている。
【００２８】
次に、このデスクシステムを用いた増減連、連結、分離の際の取扱いについて説明する。
【００２９】
天板の増連に際しては、先ず、図７（ａ）に示すように、既設デスクＡの端部脚４を構成していた端部部材３を取り外す。この際、既設デスクＡを構成する天板１や中間脚２その他の構造体部分を解体する必要はない。そして、当該端部部材３を取り付けていた中間脚２において開放されるステー２２の片半部２ａに同図（ｂ）に示すように増連すべき天板１の縁部を載置して支持させる。この作業は、ステー２２にはビーム取付部２２ｂを取り付け、新たに端部に位置することとなる中間脚２との間をビーム５で連結する作業を伴うだけである。そして、この新たに端部に位置することとなった中間脚２に、同図（ｃ）に示すように先に取り除いた前記端部部材３を付加すれば、増連状態で新たにこの中間脚２を端部脚４として使用することが可能になる。
【００３０】
天板の減連に際しては、上記増連のときとはほぼ逆の手順に従って、先ず図７（ｃ）→（ｂ）のように減連によって残されるデスク部分Ａの天板１や中間脚２その他の構造体部分の解体を伴うことなく、所要の中間脚２や端部脚４を天板１とともに撤去する。そして、新たに端部に位置することとなった中間脚２において、天板が撤去されることにより開放される片半部に、ビーム取付部２２ｂを取り外した上で同図（ａ）に示すように先に撤去した前記端部脚４に付帯していた端部部材３を付加すれば、減連状態で新たにこの中間脚２を端部脚４として使用することが可能になる。
【００３１】
また、デスク同士の連結に際しては、先ず、図８（ａ）→（ｂ）に示すように、連結すべき各デスクＢの端部脚４から端部部材３を取り除く。この際、既設デスクＢの天板１や中間脚２などの構造体部分の解体を要しないのは既述した通りである。そして、当該端部部材３を取り付けていた各々の中間体２において開放されるステー２２の片半部２ａづつに、それらのステー２２にビーム取付部２２ｂを取り付けビーム５を架設した上で新たに天板１の左右両縁を架設すれば、同図（ａ）のようにデスク同士の連結を完了することができる。
【００３２】
デスクの分離に際しては、連結のときとはほぼ逆の手順に従って、先ず図８（ｃ）に示すように分離によって残されるべきデスク部分Ｂの天板１や中間脚２その他の構造体部分の解体を伴うことなく、天板１及びビーム５を取り除く。そして、分離した各々のデスクＢにおいて新たに端部に位置することとなる中間脚２において、天板が撤去されることにより開放されるステー２２の片半部２ａに、ビーム取付部２２ｂを取り外した上で同図（ｂ）に示すように端部部材３を付加することによって、新たにこの中間脚２を端部脚４として使用し、同図（ｃ）に示すように各々独立したデスクＢとして使用することができる。
【００３３】
以上のように、本実施形態のデスクシステムは、天板１を連ねて大型デスクを構成するに際して、隣接する天板１、１を共通の中間脚２の片半部２ａづつに支持させるとともに、端部に位置することとなる中間脚２に対し、その開放された片半部２ａに被るように端部部材３を着脱可能に付加することによって端部脚４を構成し得るようにしたものである。
【００３４】
このようにすれば、増減連によって端部にあった中間脚２が中間に位置したり、逆に中間に位置していた中間脚２が端部に位置することとなっても、中間脚２に対して端部部材３を着脱するだけで端部脚４及び中間脚２の何れの形態をもとらせることができるので、逐一中間脚と端部脚の取替えをすること不要にすることができる。また、中間脚２は隣接する天板１、１を同時に支持し得るので、中間脚２が天板の隣接境界に重複して嵩張ることもなく、巾方向に沿って下肢空間Ｓを広くとることができる。さらに、端部においては中間脚２と端部部材３が重複することとなるが、端部部材３は中間脚２の一部に被るように取り付けられるので、各々の巾寸法の総和に比して図６に示す中間脚２の呑み込み部分２ｂにおいて嵩張りを抑えつつ、接地巾の広い端部脚４の機能を有効に発揮させることができる。そして、上記において、端部部材３を取り付けることで接地巾の狭い中間脚２の当該接地巾を拡幅させて端部脚４となし得るように構成しているので、中間部における奥行き方向への下肢空間Ｓの確保と端部における接地状態の安定化とを適切に両立させることが可能となる。
【００３５】
そして、天板１の増連に際しては、既設デスクＡを構成する天板１や中間脚２その他の構造体部分の解体を伴うことなく端部脚４から端部部材３を取り除くとともに、端部部材３を取り付けていた中間脚２において開放される片半部２ａに増連すべき天板１を支持させ、新たに端部に位置することとなる中間脚２に先に取り除いた前記端部部材３を付加することによって端部脚４を構成し得るようにしているので、天板１の増連に際して、無用な解体を伴うことなく、端部部材３の使い回しによって端部脚４を中間脚２に、中間脚２を端部脚４にそれぞれ容易に変更することができ、天板１の増連を効率良く行うことが可能となる。
【００３６】
また、天板１の減連に際しては、減連によって残されるデスク部分Ａの天板１や中間脚２その他の構造体部分の解体を伴うことなく、所要の中間脚２及び端部脚４を天板１とともに撤去し、新たに端部に位置することとなる中間脚２において開放される片半部２ａに先に撤去した端部脚４に付帯していた端部部材３を付加することによって端部脚４を構成し得るようにしているので、天板１の減連に際して、必要以上の解体を伴うことなく、端部部材３の使い回しによって端部脚４の位置を変更することができ、天板１の減連を効率良く行うことが可能となる。
【００３７】
さらに、デスクＢ、Ｂ同士の連結に際しては、連結すべき各デスクＢにおいて既設部分の天板１や中間脚２その他の構造体部分の解体を伴うことなく端部脚４から端部部材３を取り除き、各々のデスクＢの端部に位置することとなる中間脚２において開放される片半部２ａに新たに天板１を架設することによってデスクＢ、Ｂ同士の連結をなし得るようにしているので、デスクＢ、Ｂ同士の連結に際して、無用の解体を伴うことなく、端部脚４を中間脚２に変更して天板１を架設することができ、デスクＢ、Ｂ同士の連結を効率良く行うことが可能となる。
【００３８】
さらにまた、デスクの分離に際して、分離によって残されるべきデスク部分Ｂの天板１や中間脚２その他の構造体部分の解体を伴うことなく、天板１その他の所要部材を取り除き、分離した各々のデスクＢにおいて新たに端部に位置することとなる中間脚２において開放される片半部２ａに端部部材３を付加することによって端部脚４を構成し得るようにしているので、デスクの分離に際して、必要以上の解体を伴うことなく、端部部材３を僅かに追加するだけで新たに端部に位置する中間脚２を端部脚４に変更することができ、デスクの分離を効率良く行うことが可能となる。
【００３９】
そして、そのための具体的構造として、端部部材３が、左右の側枠３１と上枠３２とを少なくとも備えたフレーム構造の外側に面材３７を取り付け内側を凹ませたパネル脚状のものとしてあり、その凹みである凹所３ａに中間脚２の一部を受容しつつ上枠３２の前方に位置するスペーサ３４や横カバー３６を中間脚２の片半部２ａに被せ、側枠３１を中間脚２の脚支柱２１の外側に位置づけるようにして中間脚２に取り付けるようにしているので、中間脚２に適切に被せて嵩張りを減じることができ、中間脚２の倒れ方向の挙動に対してこれを有効に抑止することができ、また、フレーム構造の内側の凹所２ａを下肢空間Ｓの一部として有効利用することができる。
【００４０】
また、中間脚２が、脚支柱２１と、この脚支柱２１の上端側に略水平に延びて天板１を支持するステー２２とを備え、ステー２２、２２間にビーム５を架設して中間脚同士を着脱可能に連結するようにしているので、基本的に天板１とビーム５の着脱のみによって増減連やデスクの連結、分離に簡単に対応することが可能となる。そして、脚支柱２１が天板１の反使用縁１ｃ側に接地する構造にしているので、下肢空間Ｓの確保を実効あらしめることができる。
【００４１】
なお、各部の具体的な構成は、上述した実施形態のみに限定されるものではなく、本発明の趣旨を逸脱しない範囲で種々変形が可能である。
【００４２】
例えば、上記実施形態は一対の天板を対面使用可能に配置した両面デスクに本発明を適用したものであるが、片面デスクに適用しても上記と同様の作用効果が奏される。
【００４３】
また、上記実施形態において採用しているスペーサは主として天板１の小口を隠す目的のものであるため、必要がなければ敢えて設ける必要はない。
【００４４】
さらに、上記実施形態では中間脚に端部部材を組み付ける際にビーム取付部を取り外すようにしているが、嵩張りに影響が少なければビーム取付部ごと中間脚の片半部をパネルの凹所内に受容するように構成する態様も可能である。
【００４５】
また、ステーにおける天板の支持構造は、上記のようにステー上に直接天板を載せ置く態様に限らず、天板をビームを介してステーに間接的に支持させる構造としても構わない。
【００４６】
また、上記実施形態では端部部材にパネル脚状のものを採用したが、面材の有無が強度に影響しない場合等には、面材を省いて、左右の側枠３１と上枠３２とを備えたフレーム構造をなすものにして、上枠３２若しくはその周辺部を中間脚２の片半部２ａに被せ、側枠３１を中間脚２の脚支柱２１の外側に位置づけるようにして中間脚２に取り付けるようにしても構わない。
【００４７】
更にまた、本発明は端部部材を加除することによって中間脚を選択的に端部脚に切り替える態様に代えて、中間脚と端部脚とに変形可能な共通脚を用いても、同様の目的を達成することもできる。
【００４８】
例えば、図９（ａ）〜（ｃ）に示すものは、何れも上記実施形態と基本的に同様の脚支柱及びステーを備えて隣接する天板を共通脚に支持させる共通脚であるが、同図（ａ）の共通脚１０２は脚支柱１２１の外側に選択的に接地巾を広げる補助脚１２１ｘを着脱可能とすることによって、また同図（ｂ）の共通脚２０２は脚支柱２２１の下端部に選択的に接地巾を広げる脚羽根２２１ｘを取り付けることによって、さらに同図（ｃ）の共通脚３０２はステー３２２に対する脚支柱３２１の位置を選択的に接地巾を広げる方向に位置変更することによって、何れも中間脚としても端部脚としても使用できるようにしたものである。
【００４９】
このような共通脚１０２、２０２、３０２を使用しても、上記実施形態と同様の効果を奏することができる。すなわち、増減連によって端部にあった脚が中間に位置したり、逆に中間に位置していた脚が端部に位置することとなっても、共通脚１０２、２０２、３０２がそれ自体の形態として端部脚及び中間脚の何れの形態をもとることができるので、逐一中間脚と端部脚の取替えをすること不要にすることができる。また、これらの共通脚１０２、２０２、３０２は隣接する天板を同時に支持し得るので、脚が重複して嵩張る不都合も回避して、下肢空間を広くとることができる。さらに、端部においてもこれらの共通脚１０２、２０２、３０２は単体で存在して重複することがないため、ここでの嵩張りも有効に回避することが可能となる。そして、この場合にもその変形が、連結方向と直交する方向に沿って接地巾の狭い中間脚と接地巾の広い端部脚とにその形態を変更するものであれば、中間部における下肢空間の確保と端部における接地状態の安定化とを適切に両立させることが可能となる。
【００５０】
なお、本発明のデスクの概念には、いわゆるテーブルと称されるものも勿論含まれるものである。
【図面の簡単な説明】
【００５１】
【図１】本発明の一実施形態を適用したデスクの斜視図。
【図２】図１の透視図。
【図３】同実施形態を構成する端部部材の分解斜視図。
【図４】同実施形態における中間脚と天板との関係、中間脚と端部部材との関係を示す模式図。
【図５】同実施形態における中間脚と端部部材の関係を示す斜視図。
【図６】同実施形態における中間脚への端部部材の組付け状態を示す図。
【図７】同実施形態の増減連に関する作用説明図。
【図８】同実施形態の連結、分離に関する作用説明図。
【図９】本発明の他の構成を示す模式図。
【符号の説明】
【００５２】
１…天板
２、１０２、２０２、３０２…中間脚
２ａ…片半部
３…端部部材
３ａ…凹み（凹所）
４…端部脚
５…ビーム
２１、１２１、２２１、３２１…脚支柱
２２、３２２…ステー
３１…側枠
３２…上枠
３７…面材
【図１】
2008295853.tif 000003
【図２】
2008295853.tif 000004
【図３】
2008295853.tif 000005
【図４】
2008295853.tif 000006
【図５】
2008295853.tif 000007
【図６】
2008295853.tif 000008
【図７】
2008295853.tif 000009
【図８】
2008295853.tif 000010
【図９】
2008295853.tif 000011